(57)【要約】【課題】画像の切り替えと、シャッターメガネの開閉との同期のずれを抑制することが容易なプロジェクター、プロジェクションシステム、及びプロジェクターの制御方法を提供する。【解決手段】送信部２４は、赤外線発光装置等で構成される複数の送信装置２４ａ〜２４ｅを含んでいる。各送信装置２４ａ〜２４ｅは、プロジェクター１に対して一体的に備えられており、左眼用の画像と右眼用の画像との切り替えに同期するための赤外線の同期信号を送信する。送信装置２４ａ〜２４ｅは、それぞれ筐体５の前面５ａ、天面５ｂ、背面５ｃ、及び左右両側の側面５ｄ，５ｅに配置されており、赤外線の同期信号を、それぞれが備わる各面に対して略垂直に射出する。【選択図】図１
2012108344.tif 000002
【特許請求の範囲】
【請求項１】
左眼用の画像と右眼用の画像とを交互に投写するプロジェクターであって、
前記画像を所定の投写方向に投写する画像投写部と、
前記プロジェクターに対して一体的に備えられ、前記左眼用の画像と前記右眼用の画像との切り替えに同期するための同期信号を送信する送信部と、を備え、
前記送信部は、前記投写方向とは異なる方向に向けて前記同期信号を送信する送信装置を含んでいることを特徴とするプロジェクター。
【請求項２】
請求項１に記載のプロジェクターであって、
前記送信部は、互いに異なる方向に向けて前記同期信号を送信可能な複数の送信装置を含んでいることを特徴とするプロジェクター。
【請求項３】
請求項２に記載のプロジェクターであって、
前記複数の送信装置のうち、一部の送信装置を指定して前記同期信号を送信させる制御部をさらに備えたことを特徴とするプロジェクター。
【請求項４】
請求項３に記載のプロジェクターであって、
前記制御部は、前記画像投写部からメニュー画像を投写させて、前記一部の送信装置を選択させることを特徴とするプロジェクター。
【請求項５】
請求項３に記載のプロジェクターであって、
前記制御部は、当該プロジェクターが、所定の基本姿勢、及び前記基本姿勢の天地を反転させた反転姿勢のいずれの姿勢で設置されているかに応じて前記一部の送信装置を選定することを特徴とするプロジェクター。
【請求項６】
請求項３に記載のプロジェクターであって、
前記画像が投写される投写面までの距離を検出する距離検出部をさらに備え、
前記制御部は、前記距離検出部によって検出された前記投写面までの距離に基づいて前記一部の送信装置を選定することを特徴とするプロジェクター。
【請求項７】
請求項２〜６のいずれか一項に記載のプロジェクターであって、
前記送信部は、前記同期信号を同一の方向に送信する複数の送信装置を含んでいることを特徴とするプロジェクター。
【請求項８】
請求項１〜７のいずれか一項に記載のプロジェクターと、
前記プロジェクターから送信される前記同期信号を受信し、受信した前記同期信号に同期させて左眼用のシャッターと右眼用のシャッターとを交互に開放させるシャッターメガネと、
を備えたことを特徴とするプロジェクションシステム。
【請求項９】
左眼用の画像と右眼用の画像とを交互に投写する画像投写部と、前記左眼用の画像と前記右眼用の画像との切り替えに同期するための同期信号を互いに異なる方向に向けて送信可能な複数の送信装置を含む送信部と、を備えたプロジェクターの制御方法であって、
前記複数の送信装置のうち、一部の送信装置を指定して前記同期信号を送信させる制御工程を備えたことを特徴とするプロジェクターの制御方法。
【請求項１０】
請求項９に記載のプロジェクターの制御方法であって、
前記画像投写部からメニュー画像を表示させて前記一部の送信装置を選択させる選択工程をさらに備え、
前記制御工程では、前記選択工程で選択された送信装置を指定して前記同期信号を送信させることを特徴とするプロジェクターの制御方法。
【請求項１１】
請求項９に記載のプロジェクターの制御方法であって、
前記プロジェクターが、所定の基本姿勢、及び前記基本姿勢の天地を反転させた反転姿勢のいずれの姿勢で設置されているかに応じて前記一部の送信装置を選定する第１の選定工程をさらに備え、
前記制御工程では、前記第１の選定工程で選定された送信装置を指定して前記同期信号を送信させることを特徴とするプロジェクターの制御方法。
【請求項１２】
請求項９に記載のプロジェクターの制御方法であって、
前記画像が投写される投写面までの距離を検出する距離検出工程と、
前記距離検出工程で検出された前記投写面までの距離に基づいて前記一部の送信装置を選定する第２の選定工程と、をさらに備え、
前記制御工程では、前記第２の選定工程で選定された送信装置を指定して前記同期信号を送信させることを特徴とするプロジェクターの制御方法。
【発明の詳細な説明】
【技術分野】
【０００１】
本発明は、投写する画像を鑑賞者に立体像として認識させるプロジェクター、プロジェクションシステム、及びプロジェクターの制御方法に関する。
【背景技術】
【０００２】
プロジェクター等の画像表示装置が表示する画像を鑑賞者に立体像として認識させるために、鑑賞者の右目及び左目に、それぞれ異なる画像（視差画像）を視認させるシステムが種々提案されている。このようなシステムの１つとして、例えば、左目用の画像と右目用の画像とを画像表示装置が交互に時分割で表示する態様のシステムがある（例えば、特許文献１参照）。この態様では、鑑賞者は、画像の切り替えに同期して左右交互に開閉するシャッターメガネを通して画像を鑑賞することにより、立体像を認識することができる。例えば、特許文献１に記載のシステム（立体映像表示装置）は、画像表示装置（液晶ディスプレイ）と、画像表示装置に画像情報（映像データ）を供給する画像供給装置（映像データ出力装置）と、シャッターメガネと、シャッターメガネに同期信号（制御信号）を出力してシャッターメガネの開閉を制御する同期信号出力装置（液晶シャッター制御部）とを備えて構成されている。
【先行技術文献】
【特許文献】
【０００３】
【特許文献１】特開２００９−１５２８９７号公報
【発明の概要】
【発明が解決しようとする課題】
【０００４】
しかしながら、特許文献１に記載のシステムのように、同期信号出力装置が画像表示装置とは分離して配置される構成になっている場合には、画像表示装置と同期信号出力装置との間で同期のずれが生じやすくなるため、画像表示装置による画像の切り替えと、シャッターメガネの開閉動作との同期も大きくずれやすい。この結果、一方の目に左右両方の画像が認識されてしまうクロストークが発生する等、画像の表示品位が低下してしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、左眼用の画像と右眼用の画像とを交互に投写するプロジェクターであって、前記画像を所定の投写方向に投写する画像投写部と、前記プロジェクターに対して一体的に備えられ、前記左眼用の画像と前記右眼用の画像との切り替えに同期するための同期信号を送信する送信部と、を備え、前記送信部は、前記投写方向とは異なる方向に向けて前記同期信号を送信する送信装置を含んでいることを特徴とする。
【０００７】
このプロジェクターによれば、同期信号を送信する送信部を一体的に備えていることから、送信部が分離している場合に比べて、プロジェクターによる画像の切り替えと、シャッターメガネの開閉動作との同期のずれを抑制することが容易になる。また、送信部には、投写方向とは異なる方向に向けて同期信号を送信する送信装置が含まれていることから、画像を鑑賞する位置の自由度が高くなる。
【０００８】
［適用例２］上記適用例に係るプロジェクターにおいて、前記送信部は、互いに異なる方向に向けて前記同期信号を送信可能な複数の送信装置を含んでいることが望ましい。
【０００９】
このプロジェクターによれば、送信部が、互いに異なる方向に同期信号を送信可能な複数の送信装置を含んでいるため、画像を鑑賞する位置の自由度がさらに向上する。
【００１０】
［適用例３］上記適用例に係るプロジェクターにおいて、前記複数の送信装置のうち、一部の送信装置を指定して前記同期信号を送信させる制御部をさらに備えることが望ましい。
【００１１】
このプロジェクターによれば、複数の送信装置のうち、一部の送信装置から同期信号を送信させるため、同期信号の送信に伴う電力消費を抑制することが可能となる。
【００１２】
［適用例４］上記適用例に係るプロジェクターにおいて、前記制御部は、前記画像投写部からメニュー画像を投写させて、前記一部の送信装置を選択させるようにしてもよい。
【００１３】
このプロジェクターによれば、同期信号を送信する送信装置を、メニュー画像から選択可能であるため、所望の送信装置から同期信号を送信させることが可能となる。
【００１４】
［適用例５］上記適用例に係るプロジェクターにおいて、前記制御部は、当該プロジェクターが、所定の基本姿勢、及び前記基本姿勢の天地を反転させた反転姿勢のいずれの姿勢で設置されているかに応じて前記一部の送信装置を選定するようにしてもよい。
【００１５】
このプロジェクターによれば、同期信号を出力する送信装置が、プロジェクターの設置姿勢に応じて選定されるため、ユーザーは、送信装置を選択するための入力操作を行う必要がなくなり、ユーザーの利便性が向上する。
【００１６】
［適用例６］上記適用例に係るプロジェクターにおいて、前記画像が投写される投写面までの距離を検出する距離検出部をさらに備え、前記制御部は、前記距離検出部によって検出された前記投写面までの距離に基づいて前記一部の送信装置を選定するようにしてもよい。
【００１７】
このプロジェクターによれば、同期信号を出力する送信装置が、投写面までの距離に応じて選定されるため、ユーザーは、送信装置を選択するための入力操作を行う必要がなくなり、ユーザーの利便性が向上する。
【００１８】
［適用例７］上記適用例に係るプロジェクターにおいて、前記送信部は、前記同期信号を同一の方向に送信する複数の送信装置を含んでいることが望ましい。
【００１９】
このプロジェクターによれば、同期信号が複数の送信装置から同一方向に送信されるため、１つの送信装置から送信される場合よりもシャッターメガネに受信されやすくなり、画像を鑑賞する位置の自由度がさらに高くなる。
【００２０】
［適用例８］本適用例に係るプロジェクションシステムは、上記適用例に係るプロジェクターと、前記プロジェクターから送信される前記同期信号を受信し、受信した前記同期信号に同期させて左眼用のシャッターと右眼用のシャッターとを交互に開放させるシャッターメガネと、を備えたことを特徴とする。
【００２１】
このプロジェクションシステムによれば、上記プロジェクターと同様の効果を得ることができる。
【００２２】
［適用例９］本適用例に係るプロジェクターの制御方法は、左眼用の画像と右眼用の画像とを交互に投写する画像投写部と、前記左眼用の画像と前記右眼用の画像との切り替えに同期するための同期信号を互いに異なる方向に向けて送信可能な複数の送信装置を含む送信部と、を備えたプロジェクターの制御方法であって、前記複数の送信装置のうち、一部の送信装置を指定して前記同期信号を送信させる制御工程を備えたことを特徴とする。
【００２３】
このプロジェクターの制御方法によれば、複数の送信装置のうち、一部の送信装置から同期信号を送信させるため、同期信号の送信に伴う電力消費を抑制することが可能となる。
【００２４】
［適用例１０］上記適用例に係るプロジェクターの制御方法において、前記画像投写部からメニュー画像を表示させて前記一部の送信装置を選択させる選択工程をさらに備え、前記制御工程では、前記選択工程で選択された送信装置を指定して前記同期信号を送信させるようにしてもよい。
【００２５】
このプロジェクターの制御方法によれば、同期信号を送信する送信装置を、メニュー画像から選択可能であるため、所望の送信装置から同期信号を送信させることが可能となる。
【００２６】
［適用例１１］上記適用例に係るプロジェクターの制御方法において、前記プロジェクターが、所定の基本姿勢、及び前記基本姿勢の天地を反転させた反転姿勢のいずれの姿勢で設置されているかに応じて前記一部の送信装置を選定する第１の選定工程をさらに備え、前記制御工程では、前記第１の選定工程で選定された送信装置を指定して前記同期信号を送信させるようにしてもよい。
【００２７】
このプロジェクターの制御方法によれば、同期信号を出力する送信装置が、プロジェクターの設置姿勢に応じて選定されるため、ユーザーは、送信装置を選択するための入力操作を行う必要がなくなり、ユーザーの利便性が向上する。
【００２８】
［適用例１２］上記適用例に係るプロジェクターの制御方法において、前記画像が投写される投写面までの距離を検出する距離検出工程と、前記距離検出工程で検出された前記投写面までの距離に基づいて前記一部の送信装置を選定する第２の選定工程と、をさらに備え、前記制御工程では、前記第２の選定工程で選定された送信装置を指定して前記同期信号を送信させるようにしてもよい。
【００２９】
このプロジェクターの制御方法によれば、同期信号を出力する送信装置が、投写面までの距離に応じて選定されるため、ユーザーは、送信装置を選択するための入力操作を行う必要がなくなり、ユーザーの利便性が向上する。
【図面の簡単な説明】
【００３０】
【図１】プロジェクションシステムの概略構成を示す斜視図であり、（ａ）は、後方から見た図、（ｂ）は、前方から見た図。
【図２】第１実施形態に係るプロジェクターの内部構成を示すブロック図。
【図３】液晶シャッターメガネの内部構成を示すブロック図。
【図４】天吊りしたプロジェクターを示す斜視図。
【図５】送信装置を選択するための送信装置選択画像を示す説明図。
【図６】設置モードを選択するための設置モード選択画像を示す説明図。
【図７】第３実施形態に係るプロジェクターの内部構成を示すブロック図。
【図８】第４実施形態に係るプロジェクターの内部構成を示すブロック図。
【図９】変形例に係るプロジェクターを示す斜視図であり、（ａ）は、各面に複数の送信装置を備えたプロジェクターを示す図、（ｂ）は、複数の方向に同期信号を射出する送信部が筐体の角部に配置されたプロジェクターを示す図、（ｃ）は、複数の方向に同期信号を射出する送信部が筐体の天面に配置されたプロジェクターを示す図。
【発明を実施するための形態】
【００３１】
（第１実施形態）
以下、第１実施形態のプロジェクションシステムについて、図面を参照して説明する。
図１は、本実施形態のプロジェクションシステムの概略構成を示す斜視図であり、（ａ）は、後方から見た図、（ｂ）は、前方から見た図である。
図１（ａ）、（ｂ）に示すように、プロジェクションシステム１００は、両眼視差を利用して鑑賞者に立体像を認識させるシステムであり、プロジェクター１と、液晶シャッターメガネ２とを備えて構成されている。
【００３２】
プロジェクター１は、装置本体（後述する画像投写部１０等）を収容する筐体５を備えて構成されており、筐体５の天面５ｂには、ユーザーにより入力操作が行われる入力操作部２１が配置されている。筐体５の背面５ｃには、複数の入力端子を備えた画像情報入力部２２が設けられており、画像情報入力部２２には、外部の画像供給装置（図示省略）から画像情報が入力される。筐体５の前面５ａには、投写レンズ１３を露出させるための開口部６が形成されており、この投写レンズ１３から、画像情報に基づく画像が前方の投写面（例えば、スクリーン）ＳＣに投写される。
【００３３】
画像情報入力部２２には、左眼用の画像を表す左眼用の画像情報と、右眼用の画像を表す右眼用の画像情報とが入力され、プロジェクター１は、左眼用の画像と右眼用の画像とをフレーム単位で時分割して投写面ＳＣ上に交互に投写（表示）する。また、プロジェクター１は、左眼用の画像と右眼用の画像との切り替えに同期するための赤外線の同期信号を送信する送信部２４を備えており、本実施形態の送信部２４は、複数（５つ）の送信装置２４ａ〜２４ｅを備えて構成される。
【００３４】
液晶シャッターメガネ２は、プロジェクター１が投写する画像を鑑賞する鑑賞者に装着されるものであり、鑑賞者の左眼に対峙する左眼用の液晶シャッター４４Ｌと、右眼に対峙する右眼用の液晶シャッター４４Ｒとを備えている。また、液晶シャッターメガネ２の前面には、プロジェクター１から送信される赤外線の同期信号を受信するための受信部４１が設けられている。液晶シャッターメガネ２は、左眼用の画像が鑑賞者の左眼のみで認識され、右眼用の画像が鑑賞者の右眼のみで認識されるよう、同期信号に同期して左右の液晶シャッター４４Ｌ，４４Ｒを交互に開放させる。
【００３５】
図２は、本実施形態に係るプロジェクター１の内部構成を示すブロック図である。
図２に示すように、プロジェクター１は、画像投写部１０、制御部２０、入力操作部２１、画像情報入力部２２、画像処理部２３、送信部２４等を備えている。
【００３６】
画像投写部１０は、光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、表示部に相当するものであり、光源装置１１から射出された光を液晶ライトバルブ１２Ｒ，１２Ｇ，１２Ｂで変調して画像（画像光）を形成する。そして、形成した画像を、投写レンズ１３から前方、即ち筐体５の前面５ａに略垂直な方向に向けて拡大投写して、投写面ＳＣ等に表示する。
【００３７】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。そして、液晶駆動部１４の駆動により、入力される画像情報に応じた駆動電圧が各画素に印加されると、各画素は、画像情報に応じた光透過率に設定される。このため、光源装置１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像となった後、投写レンズ１３から拡大投写される。
【００３９】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。つまり、制御部２０は、コンピューターとして機能する。
【００４０】
入力操作部２１は、ユーザーの入力操作を受け付けるものであり、ユーザーがプロジェクター１に対して各種指示を行うための複数の操作キーを備えている。本実施形態の入力操作部２１が備える操作キーとしては、電源のオン・オフを切り替えるための電源キー、各種設定用のメニュー画像を表示させるメニューキー、メニュー画像における項目の選択等に用いられる方向キー、選択した項目を確定させるための決定キー等がある。ユーザーが入力操作部２１の各種操作キーを操作すると、入力操作部２１は、この入力操作を受け付けて、ユーザーの操作内容に応じた操作信号を制御部２０に出力する。なお、入力操作部２１として、遠隔操作が可能なリモコン（図示せず）を用いた構成としてもよい。この場合、リモコンは、ユーザーの操作内容に応じた赤外線の操作信号を発信し、図示しない受信手段がこれを受信して制御部２０に伝達する。
【００４１】
画像情報入力部２２には、パーソナルコンピューターや各種映像再生装置等、図示しない外部の画像供給装置から、左眼用及び右眼用の画像情報が入力される。そして、画像情報入力部２２は、入力された画像情報を画像処理部２３に出力する。また、画像情報入力部２２には、画像の表示タイミングを計るための同期信号（以降、「基準同期信号」と呼ぶ。）が画像情報とともに画像供給装置から入力され、画像情報入力部２２は、この基準同期信号を制御部２０に出力する。
【００４２】
画像処理部２３は、画像情報入力部２２から入力される左眼用及び右眼用の画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部２３は、制御部２０の指示に基づき、変換した画像情報に対して、明るさやコントラスト等を調整するための画質調整処理や、メニュー画像やメッセージ画像等のＯＳＤ（オンスクリーンディスプレイ）画像を重畳して表示するためのＯＳＤ処理等を必要に応じて行う。
【００４３】
画像処理部２３は、画像情報を一時的に記憶する画像メモリー（図示省略）を備えており、左眼用及び右眼用の画像情報は、各種処理が施された後、フレーム単位で画像メモリーに記憶される。そして、画像処理部２３は、制御部２０からの指示に基づいて、画像メモリーに記憶されている左眼用及び右眼用の画像情報を１フレームずつ交互に液晶駆動部１４に出力する。
【００４４】
液晶駆動部１４が、画像処理部２３から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。この結果、投写面ＳＣには、左眼用の画像と右眼用の画像がフレーム単位で交互に表示される。
【００４５】
送信部２４は、赤外線発光装置等で構成される複数の送信装置２４ａ〜２４ｅを含んでいる。各送信装置２４ａ〜２４ｅは、プロジェクター１の装置本体に対して一体的に備えられており、制御部２０の指示に基づいて、左眼用の画像と右眼用の画像との切り替えに同期するための赤外線の同期信号を送信する。制御部２０は、画像供給装置からの基準同期信号に基づいて、所定の周期で画像処理部２３に指示を行い、左眼用の画像情報と右眼用の画像情報とを１フレームずつ交互に出力させるとともに、送信部２４に指示をして、所定の波形パターンからなる同期信号を、画像処理部２３からの画像情報の出力に同期させて送信させる。送信部２４は、制御部２０からこの指示を受けると、すべての送信装置２４ａ〜２４ｅから赤外線の同期信号を送信する。
【００４６】
図３は、液晶シャッターメガネ２の内部構成を示すブロック図である。
図３に示すように、液晶シャッターメガネ２は、上述した液晶シャッター４４Ｌ，４４Ｒに加えて、受信部４１と、制御部４２と、駆動部４３とを有している。受信部４１は、フォトセンサー等によって構成され、プロジェクター１から送信される赤外線の同期信号を受信（受光）して電気信号に変換する。
【００４７】
制御部４２は、受信した同期信号に基づいて、液晶シャッター４４Ｌ，４４Ｒの開閉を制御するための制御信号を生成し、駆動部４３に出力する。駆動部４３は、入力される制御信号に基づいて液晶シャッター４４Ｌ，４４Ｒの開閉（開放及び閉塞）を駆動する。
【００４８】
液晶シャッター４４Ｌ，４４Ｒは、それぞれ液晶パネルの表裏両側に偏光板が貼り付けられた構成を有している。液晶シャッター４４Ｌは、駆動部４３の駆動により、左眼に入射する光を透過させる開放状態と、左眼に入射する光を遮蔽する閉塞状態とを切り替え、液晶シャッター４４Ｒは、駆動部４３の駆動により、右眼に入射する光を透過させる開放状態と、右眼に入射する光を遮蔽する閉塞状態とを切り替える。
【００４９】
プロジェクションシステム１００は、上記のように構成されているため、プロジェクター１の画像処理部２３が、制御部２０からの指示に基づいて、左眼用の画像の表示と右眼用の画像の表示とを切り替え、液晶シャッターメガネ２が、プロジェクター１から送信される同期信号に基づいて、開放する液晶シャッター４４Ｌ，４４Ｒを切り替えることにより、左眼用の画像を左眼のみに認識させ、右眼用の画像を右眼のみに認識させることができる。
【００５０】
図１に戻って、送信部２４の送信装置２４ａ〜２４ｅは、それぞれ筐体５の前面５ａ、天面５ｂ、背面５ｃ、及び左右両側の側面５ｄ，５ｅに配置されており、赤外線の同期信号を、それぞれが備わる各面に対して略垂直に射出（送信）する。つまり、前面５ａの送信装置２４ａは、前方、即ち画像の投写方向に向けて同期信号を射出し、背面５ｃの送信装置２４ｃは、後方、即ち投写方向の反対方向に向けて射出する。また、天面５ｂの送信装置２４ｂは、上方に向けて射出し、側面５ｄ，５ｅの送信装置２４ｄ，２４ｅは、それぞれ左右方向に向けて射出する。つまり、送信装置２４ｂ，２４ｄ，２４ｅは、投写方向と垂直な方向に同期信号を射出する。
【００５１】
このように、本実施形態の送信部２４は、互いに異なる方向に同期信号を射出する複数の送信装置２４ａ〜２４ｅを備えているため、液晶シャッターメガネ２は、広い範囲内で同期信号を受信することが可能となる。つまり、鑑賞者は、広い範囲で画像を鑑賞することができる。
【００５２】
また、鑑賞者が投写面ＳＣの正面のプロジェクター１の後方で画像を鑑賞する場合において、同期信号がプロジェクター１から前方にのみ射出される場合には、プロジェクター１は、同期信号を投写面ＳＣで反射させて液晶シャッターメガネ２に到達させる必要がある。これに対して、本実施形態では、プロジェクター１の後方に向けて同期信号を射出する送信装置２４ｃを備えているため、同期信号を投写面ＳＣに反射させる必要がなく、液晶シャッターメガネ２に直接到達させることができる。このため、液晶シャッターメガネ２に同期信号を受信させるために、送信装置の出力強度をさほど強くする必要はない。また、出力強度を一定にした場合には、同期信号を投写面ＳＣに反射させる場合に比べて、より遠くまで同期信号を到達させることができる。
【００５３】
また、図４に示すように、プロジェクター１は、天井等への取り付け（以降、「天吊り」とも呼ぶ。）も可能になっている。この場合には、プロジェクター１は、筐体５の底面（図示せず）に天吊り用の固定具７が装着され、この固定具７によって天地を反転させた姿勢（反転姿勢）で天井等に取り付けられる。つまり、通常の姿勢（基本姿勢）で机上等に設置される場合に上方を向く天面５ｂは、反転姿勢では下方を向くことになり、天面５ｂに配置された送信装置２４ｂは、下方に向けて同期信号を射出する。このため、天吊りされたプロジェクター１の下方に鑑賞者がいる場合でも、液晶シャッターメガネ２に同期信号を受信させることが可能となる。
【００５４】
以上説明したように、本実施形態のプロジェクションシステム１００によれば、以下の効果を得ることができる。
【００５５】
（１）本実施形態のプロジェクションシステム１００によれば、送信部２４（送信装置２４ａ〜２４ｅ）がプロジェクター１の装置本体に対して一体的に備えられているため、送信部２４がプロジェクター１から分離している場合に比べて、画像の切り替えと液晶シャッターの開閉との同期のずれを抑制することができる。
【００５６】
（２）本実施形態のプロジェクションシステム１００によれば、送信装置２４ｂ〜２４ｅは、画像の投写方向とは異なる方向に同期信号を送信するため、鑑賞者の鑑賞位置が投写面ＳＣの正面に限定されず、画像の鑑賞位置の自由度が向上する。
【００５７】
（３）本実施形態のプロジェクションシステム１００によれば、互いに異なる方向に同期信号を射出する複数の送信装置２４ａ〜２４ｅを備えているため、鑑賞者に装着された液晶シャッターメガネ２は、広い範囲で同期信号を受信することが可能となり、画像の鑑賞位置の自由度がさらに向上する。
【００５８】
（第２実施形態）
以下、第２実施形態のプロジェクションシステムについて、図面を参照して説明する。
第１実施形態では、送信部２４のすべての送信装置２４ａ〜２４ｅから同期信号を送信する態様を示したが、本実施形態では、複数の送信装置２４ａ〜２４ｅの中から、実際に同期信号を送信する送信装置をユーザーが選択できるようになっている。これ以外の構成については、第１実施形態と同様である。
【００５９】
入力操作部２１に備わるメニューキーがユーザーによって操作されると、プロジェクター１の制御部２０は、画像処理部２３に指示をして、各種設定を行うための図示しないＯＳＤ画像（設定メニュー画像）を重畳表示させる。その後、ユーザーが設定メニュー画像の内容に従って所定の入力操作を行うと、制御部２０は、画像処理部２３に指示をして、送信装置２４ａ〜２４ｅを選択するためのメニュー画像（送信装置選択画像）を重畳表示させる。
【００６０】
図５は、送信装置２４ａ〜２４ｅを選択するための送信装置選択画像を示す説明図である。
図５に示すように、送信装置選択画像Ｐｓには、選択を促すメッセージとともに、送信装置２４ａ〜２４ｅが配置されている位置（面）がリスト表示されている。ユーザーは、方向キーを操作して所望の位置を指定した後で決定キーを操作することにより、送信装置２４ａ〜２４ｅを選択することができる。なお、すべての送信装置２４ａ〜２４ｅのうち、いずれか１つのみを選択できるようにしてもよいし、複数の送信装置を選択できるようにしてもよい。ユーザーが選択した送信装置に関する情報は、制御部２０のＲＯＭに記憶される。
【００６１】
制御部２０は、送信部２４に同期信号の送信を指示する際に、ユーザーによって選択された送信装置を指定する。そして、送信部２４は、指定された送信装置から同期信号を送信させ、他の送信装置からは同期信号を送信させない。このため、鑑賞者は、複数の送信装置２４ａ〜２４ｅのうち、鑑賞位置に向けて同期信号を射出する送信装置を選択するようにすればよい。
【００６２】
以上説明したように、本実施形態のプロジェクションシステム１００によれば、複数の送信装置２４ａ〜２４ｅのうち、選択された一部の送信装置のみから同期信号を送信させ、他の送信装置からは同期信号を送信させないため、同期信号の送信に伴う電力消費を抑制することが可能となる。また、このプロジェクションシステム１００によれば、同期信号を送信する送信装置を、送信装置選択画像Ｐｓから選択可能であるため、所望の送信装置から同期信号を送信させることが可能となる。
【００６３】
（第３実施形態）
以下、第３実施形態のプロジェクションシステムについて、図面を参照して説明する。
本実施形態のプロジェクションシステム１００は、複数の送信装置２４ａ〜２４ｅの中から、実際に同期信号を送信する送信装置を、プロジェクター１の設置姿勢に応じて選定するようになっている。これ以外の構成については、第１実施形態と同様である。
【００６４】
第１実施形態と同様、プロジェクター１は、机上等に設置される場合には通常の基本姿勢（図１参照）で設置され、天井等に設置される場合には、基本姿勢の天地を反転させた反転姿勢（図４参照）で固定される。反転姿勢では、投写される画像も上下が逆さまになってしまうため、天吊りで利用する場合には、画像を意図的に上下反転（１８０°回転）させておく必要がある。プロジェクター１は、基本姿勢に対応する通常モードと、反転姿勢に対応する天吊りモードの２つの設置モードのうちのいずれか一方に設定されるようになっている。そして、設置モードが天吊りモードに設定された場合には、制御部２０は、画像処理部２３に指示をして画像を上下反転させる処理を行わせる。
【００６５】
メニューキーの操作によって設定メニュー画像が重畳表示されている状態で、ユーザーが所定の入力操作を行うと、制御部２０は、画像処理部２３に指示をして、設置モードを選択するためのメニュー画像（設置モード選択画像）を重畳表示させる。
【００６６】
図６は、設置モードを選択するための設置モード選択画像を示す説明図である。
図６に示すように、設置モード選択画像Ｐｍには、選択を促すメッセージとともに、「通常モード」と「天吊りモード」の２つの項目が表示されている。ユーザーは、方向キーを操作して所望の設置モードを指定した後で決定キーを操作することにより、設置モードを選択することができる。ユーザーが選択した設置モードに関する情報は、制御部２０のＲＯＭに記憶される。
【００６７】
設置モードとして通常モードが選択された場合には、制御部２０は、画像処理部２３に指示をして、基本姿勢で画像を投写した際に正しい向きで画像が表示されるように、これ以降の画像処理を行わせる。一方、設置モードとして天吊りモードが選択された場合には、制御部２０は、画像処理部２３に指示をして、これ以降、反転姿勢で画像を投写した際に正しい向きで画像が表示されるよう、上下を反転させる処理を行わせる。
【００６８】
また、設置モードとして通常モードが選択された場合には、制御部２０は、同期信号を送信する送信装置として、前面５ａ、背面５ｃ、左右両側の側面５ｄ，５ｅに備わる４つの送信装置２４ａ，２４ｃ，２４ｄ，２４ｅを選定し、これらの送信装置２４ａ，２４ｃ，２４ｄ，２４ｅを指定して送信部２４に同期信号の送信を指示する。そして、送信部２４は、制御部２０からの指示を受けて、指定された送信装置２４ａ，２４ｃ，２４ｄ，２４ｅから同期信号を送信させ、天面５ｂに備わる送信装置２４ｂからは同期信号を送信させない。一方、設置モードとして天吊りモードが選択された場合には、制御部２０は、同期信号を送信する送信装置として、天面５ｂに備わる送信装置２４ｂを選定し、この送信装置２４ｂを指定して送信部２４に同期信号の送信を指示する。そして、送信部２４は、制御部２０の指示を受けて、指定された送信装置２４ｂから同期信号を送信させ、前面５ａ、背面５ｃ、側面５ｄ，５ｅに備わる４つの送信装置２４ａ，２４ｃ，２４ｄ，２４ｅからは同期信号を送信させない。
【００６９】
このように、設置モードとして通常モードが選択された場合には、プロジェクター１の前後左右に向けて同期信号が送信され、天吊りモードが選択された場合には、天吊りされているプロジェクター１から下方に向けて同期信号が送信される。
【００７０】
以上説明したように、本実施形態のプロジェクションシステム１００によれば、同期信号を出力する送信装置が、プロジェクター１の設置姿勢、即ち設置モードの設定に応じて選定される。つまり、ユーザーは、設置モードを設定するための入力操作さえ行えば、制御部２０が、設定された設置モード（設置姿勢）に適した送信装置を指定して同期信号を送信させるため、送信装置を選択するための入力操作を行う必要がなくなり、ユーザーの利便性が向上する。
【００７１】
なお、図７に示すように、加速度センサー等を用いてプロジェクター１の姿勢を検出する姿勢検出部２５を備えるようにして、制御部２０が、姿勢検出部２５の検出結果に基づいて、設置モード、及び同期信号を送信する送信装置を選定するようにしてもよい。例えば、姿勢検出部２５が検出した姿勢が基本姿勢の場合には、制御部２０は、設置モードを通常モードに設定するとともに、４つの送信装置２４ａ，２４ｃ，２４ｄ，２４ｅを指定して同期信号を送信させればよい。また、姿勢検出部２５が検出した姿勢が反転姿勢の場合には、制御部２０は、設置モードを天吊りモードに設定するとともに、送信装置２４ｂを指定して同期信号を送信させればよい。このように、姿勢検出部２５の検出結果に基づいて、設置モード及び送信装置を選定する場合には、設置モードを設定するための入力操作、及び送信装置を選択するための入力操作の双方とも必要がなくなり、ユーザーの利便性がさらに向上する。
【００７２】
（第４実施形態）
以下、第４実施形態のプロジェクションシステムについて、図面を参照して説明する。
本実施形態のプロジェクションシステム１００は、複数の送信装置２４ａ〜２４ｅの中から、実際に同期信号を送信する送信装置を、プロジェクター１と投写面ＳＣとの距離に応じて選定するようになっている。これ以外の構成については、第１実施形態と同様である。
【００７３】
図８は、本実施形態に係るプロジェクター１の内部構成を示すブロック図である。
図８に示すように、本実施形態のプロジェクター１は、ＣＣＤ（Charge Coupled Device）センサー、或いはＣＭＯＳ（Complementary Metal Oxide Semiconductor）センサー等の撮像素子を備えて構成される撮像部２６を含んでいる。撮像部２６は、投写面ＳＣを撮像できるように配置されており、投写面ＳＣに対するプロジェクター１の傾きの検出等に用いられる。
【００７４】
また、制御部２０が、画像処理部２３に指示をして所定のパターン画像を投写レンズ１３から投写させ、撮像部２６が、このパターン画像を撮像して、撮像結果を制御部２０に出力すると、制御部２０は、三角測量の原理を適用することにより、投写面ＳＣまでの距離を導出することができる。つまり、撮像部２６及び制御部２０は、投写面ＳＣまでの距離を検出する距離検出部として機能する。
【００７５】
そして、制御部２０は、複数の送信装置２４ａ〜２４ｅの中から、実際に同期信号を送信する送信装置を投写面ＳＣまでの距離に応じて選定する。具体的には、制御部２０は、投写面ＳＣまでの距離が所定の距離よりも長いか否かを判断し、長い場合には、同期信号を送信する送信装置として前面５ａに備わる送信装置２４ａを選定し、この送信装置２４ａを指定して送信部２４に同期信号の送信を指示する。この結果、同期信号は、送信装置２４ａから前方に向けて射出され、前方にいる鑑賞者の液晶シャッターメガネ２に直接、或いは投写面ＳＣで反射した後で受信される。一方、投写面ＳＣまでの距離が所定の距離以下の場合には、制御部２０は、同期信号を送信する送信装置として背面５ｃに備わる送信装置２４ｃを選定し、この送信装置２４ｃを指定して送信部２４に同期信号の送信を指示する。この結果、同期信号は、送信装置２４ｃから後方に向けて射出され、後方にいる鑑賞者の液晶シャッターメガネ２に受信される。
【００７６】
以上説明したように、本実施形態のプロジェクションシステム１００によれば、同期信号を送信する送信装置が、プロジェクター１と投写面ＳＣとの距離に応じて選定される。つまり、制御部２０が、投写面ＳＣまでの距離に応じて適切な送信装置を指定して同期信号を送信させるため、ユーザーは、送信装置を選択するための入力操作を行う必要がなくなり、ユーザーの利便性が向上する。
【００７７】
なお、投写面ＳＣまでの距離を検出する手段は、撮像部２６を用いた構成に限定されず、赤外線等を照射して距離を測定する測距センサーを利用してもよいし、投写レンズ１３のフォーカス状態に基づいて距離を導出するようにしてもよい。
【００７８】
（変形例）
また、上記実施形態は、以下のように変更してもよい。
【００７９】
上記実施形態では、筐体５の前面５ａ、天面５ｂ、背面５ｃ、左右両側の側面５ｄ，５ｅにそれぞれ１つの送信装置を備えているが、図９（ａ）に示すように、各面に複数の送信装置を備えるようにしてもよい。つまり、複数の送信装置が同一の方向に同期信号を射出する態様としてもよい。この態様では、１つの方向に１つの送信装置から同期信号が送信される場合よりも液晶シャッターメガネ２に同期信号が受信されやすくなり、鑑賞する位置の自由度がさらに高くなる。
【００８０】
上記実施形態では、複数の送信装置２４ａ〜２４ｅが筐体５の各面に分散して配置されていたが、複数の送信装置をユニット化してプロジェクター１の所定の位置に配置するようにしてもよい。例えば、図９（ｂ）に示すように、直交する３方向に同期信号を射出する３つの送信装置を含んだ送信部２４を、天面５ｂ、背面５ｃ、左側面５ｄが交わる角部、及び天面５ｂ、背面５ｃ、右側面５ｅが交わる角部に配置するようにしてもよい。また、図９（ｃ）に示すように、前方、上方、後方、左方向、右方向等の複数の方向に同期信号を射出する複数の送信装置（一部は図示せず）を含んだ送信部２４を、筐体５の天面５ｂ等に配置させるようにしてもよい。
【００８１】
上記実施形態では、液晶シャッターメガネ２の受信部４１が、液晶シャッターメガネ２の前面に配置されているが、これに限定されない。つまり、液晶シャッターメガネ２は、鑑賞者の前方から送信される同期信号を受信する態様に限定されず、鑑賞者の後方や左右方向から送信される同期信号を受信可能な態様としてもよい。
【００８２】
上記実施形態では、制御部２０は、外部の画像供給装置から入力される基準同期信号に基づいて、赤外線の同期信号を送信させる指示を送信部２４に行っているが、この基準同期信号は外部から入力される態様に限定されず、プロジェクター１自体（例えば、制御部２０）が基準同期信号を生成する態様としてもよい。
【００８３】
上記実施形態では、プロジェクター１の送信部２４と、液晶シャッターメガネ２の受信部４１との間で、赤外線の同期信号を送受信する態様を示したが、同期信号は、ワイヤレスで送受信されるものであれば赤外線に限定されない。例えば、赤外線以外の光通信を利用するようにしてもよいし、電波を利用するようにしてもよい。
【００８４】
上記実施形態のプロジェクター１では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８５】
上記実施形態において、画像供給装置からプロジェクター１に画像情報を供給する方式としては、左眼用の画像情報と右眼用の画像情報とをフレーム単位で交互に出力するフレームシーケンシャル方式を採用することができるが、画像情報の供給方式はこれに限定されない。例えば、左眼用の画像情報と右眼用の画像情報とを左右に並べて１フレーム内に収めるサイドバイサイド方式を採用することも可能である。この場合には、プロジェクター１が、供給される画像情報を左眼用の画像情報と右眼用の画像情報とに分離し、それぞれの画像情報に基づく画像を交互に表示すればよい。
【符号の説明】
【００８６】
１…プロジェクター、２…液晶シャッターメガネ、５…筐体、５ａ…前面、５ｂ…天面、５ｃ…背面、５ｄ，５ｅ…側面、６…開口部、７…固定具、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…入力操作部、２２…画像情報入力部、２３…画像処理部、２４…送信部、２４ａ〜２４ｅ…送信装置、２５…姿勢検出部、２６…撮像部、４１…受信部、４２…制御部、４３…駆動部、４４Ｌ，４４Ｒ…液晶シャッター、１００…プロジェクションシステム、ＳＣ…投写面、Ｐｓ…送信装置選択画像、Ｐｍ…設置モード選択画像。
【図１】
2012108344.tif 000003
【図２】
2012108344.tif 000004
【図３】
2012108344.tif 000005
【図４】
2012108344.tif 000006
【図５】
2012108344.tif 000007
【図６】
2012108344.tif 000008
【図７】
2012108344.tif 000009
【図８】
2012108344.tif 000010
【図９】
2012108344.tif 000011